(57)【特許請求の範囲】
【請求項１】
フレームに掻き上げ体を回動自在に支持し、フレームにおける掻き上げ体の後部に塵取部を支持し、
塵取部をフレームに対し掻き上げ体とは独立に上下に揺動可能に支持し、
塵取部の前縁の両端に、床面に対し進み方向の上方に反り上がる反り板状ガイドシューを備え、
塵取部の前縁において、両端のガイドシューに挟まれる部分に、ゴミすくい面部の床面側エッジを形成した清掃具。
【請求項２】
前記塵取部における掻き上げ体に近い前端側両側面に設けたピンを、フレームの両側壁に設けた長孔の中で上下動可能に係入し、塵取部における掻き上げ体から遠い側の後端に設けた係脱部の孔を、フレームに設けた係脱可能ピンに係脱可能にした請求項１に記載の清掃具。
【発明の詳細な説明】
【０００１】
【発明の属する技術分野】
本発明は清掃具に関する。
【０００２】
【従来の技術】
清掃具として、特開平1-262827号公報に記載の如く、フレームに掻き上げ体を回動自在に支持し、フレームにおける掻き上げ体の後部に塵取部を支持してなるものがある。
【０００３】
【発明が解決しようとする課題】
塵取部がフレームに対し掻き上げ体と独立に上下に揺動しない。このため、清掃具を毛足の長いカーペットの清掃に使用したとき、塵取部がカーペットの上面を滑るに従い、掻き上げ体もカーペットの上面を滑るだけになってしまい、カーペットの毛足の中に埋もれたゴミを掻き上げ体で掻き上げることができない。尚、掻き上げ体がカーペットの毛足に潜るべく、使用者により強い力で掻き上げ体を押し付けると、塵取部がカーペットに強く押圧されて大きな前進の抵抗となり、操作性が悪くなる。
【０００４】
本発明の課題は、塵取部を床面の上にスムースに滑らせながら、掻き上げ体は毛足の長いカーペットの毛足の中に埋もれたゴミでも確実に掻き上げ可能とすることにある。
【０００５】
【課題を解決するための手段】
フレームに掻き上げ体を回動自在に支持し、フレームにおける掻き上げ体の後部に塵取部を支持し、塵取部をフレームに対し掻き上げ体とは独立に上下に揺動可能に支持し、塵取部の前縁の両端に、床面に対し進み方向の上方に反り上がる反り板状ガイドシューを備え、塵取部の前縁において、両端のガイドシューに挟まれる部分に、ゴミすくい面部の床面側エッジを形成したものである。
【０００６】
【発明の実施の形態】
清掃具１０は、図１に示す如く、柄１１の先端部に継手部１２を介して支持アーム１３を左右方向に揺動自在に結合し、支持アーム１３の両側アーム部１３Ａに支軸部１４を介してフレーム１５を前後方向に揺動自在に支持している。
【０００７】
フレーム１５の前部にはブラシからなる可撓掻き上げ体１６が回転軸１７を介して回動自在に支持され、フレーム１５の後部にはロール体からなる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）をタイヤ部１６Ｂのタイヤ径より大きくしている。接触回転体１８は、ロール状の接触部１８Ａとタイヤ部１８Ｂからなり、接触部１８Ａの外径よりタイヤ部１８Ｂの外径を大きくし、両側タイヤ部１８Ｂを後述する塵取部２３の両外側にて床面上を転動可能にし、接触部１８Ａを塵取部２３の内側に配置させる。これにより、接触部１８Ａが塵取部２３により床から遮断され、床側の毛羽等が接触部１８Ａに付着することを防止する。タイヤ部１８Ｂは塵取部２３の外に位置する。尚、接触回転体１８の接触部１８Ａには、その表面に凹凸部を設けても良い。凹凸部とは、接触部１８Ａのロール表面にリブや凸部、凹部、しぼ面等を設けたことをいう。
【０００８】
掻き上げ体１６と接触回転体１８の上には、それらに跨がる粘着ロール２１が乗せられ、粘着ロール２１は掻き上げ体１６と接触回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【０００９】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、凹状のゴミ受け部２３Ｃを有する。更に塵取部２３は前述の如く接触回転体１８の接触部１８Ａを床から遮断するように配置されている。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはゴミ受け部２３Ｃに送り込む。
【００１０】
清掃具１０による清掃動作は以下の通りなされる。
(1)柄１１の軸方向に加える操作力により清掃具１０を前進させ、掻き上げ体１６及び接触回転体１８を回動させ、同時に粘着ロール２１を連れ回り回転させる。
【００１１】
(2)掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００１２】
(3)粘着ロール２１の粘着面に捕捉されたゴミは、粘着ロール２１の回動とともに接触回転体１８の側に移動し、接触回転体１８により粘着ロール２１の粘着面に押付けられて固定化される。
【００１３】
(4)透明カバー１５Ａから粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００１４】
尚、清掃具１０は前進だけでなく、後進もできる。塵取部２３は、底面部２３Ａの尾端部をアール状に跳ね上げ、後進時にこの尾端部が床面に引掛かるのを防止する。
【００１５】
上記清掃具１０によれば、カーペットは掻き上げ体１６によりゴミを掻き上げられ、このゴミをその後粘着ロール２１に吸着捕捉される。粘着ロール２１がカーペットに直接接触しないから、カーペットを傷めることがなく、カーペットの繊維の深い部分に沈んでいるゴミも捕捉できるし、粘着ロール２１の粘着性能の持続性も向上する。
【００１６】
また、フローリングにおいても、カーペットと同様であり、粘着ロール２１がフローリングに直接接触しないから、粘着ロール２１がフローリングに強力に粘着して固定化してしまうことがない。
【００１７】
以下、フレーム１５による塵取部２３の支持構造について説明する。（図１〜図３）
【００１８】
塵取部２３をフレーム１５に対し、掻き上げ体１６とは独立に上下に揺動可能に支持するとともに、塵取部２３のゴミ受け部２３Ｃをフレーム１５から開放可能に支持した。
【００１９】
具体的には、図１に示す如く、塵取部２３における掻き上げ体１６に近い側の前端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後端に設けた係脱部５０の孔５１を、フレーム１５に設けた係脱可能ピン５２に係脱可能にし、孔５１を係脱可能ピン５２から外して塵取部２３の後端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００２０】
更に、図２、図３に示す如く、塵取部２３の前縁２３Ｄの両端に、床面に対し前方上方に反り上がる反り板状ガイドシュー２３Ｅを備える。ここでガイドシュー２３Ｅは床面と面接触し、すくい面部２３Ｂを有さない。塵取部２３の前縁２３Ｄにおいて、両端のガイドシュー２３Ｅに挟まれる部分は、すくい面部２３Ｂの床面側のエッジ（最下端部）を形成し、フローリングや畳の床面に隙間なく摺接する。
【００２１】
従って、このような清掃具１０によれば以下の作用がある。
▲１▼清掃具１０を毛足の長いカーペットに使用したとき、掻き上げ体１６がカーペットの毛足の中に潜ってゴミを掻き上げるように、掻き上げ体１６をカーペットの毛足に対して押付ける状態で前進させても、塵取部２３は両端のガイドシュー２３Ｅがカーペットの毛足にのって浮き上がり、塵取部２３の前縁２３Ｄがカーペットの毛足の中に突き刺さって前進の抵抗になることを回避し、スムーズに前進できるため操作性が良い。
【００２２】
▲２▼塵取部２３は、前縁２３Ｄの両端だけを床面に対し反り上がるガイドシュー２３Ｅとしており、前縁２３Ｄのガイドシュー２３Ｅに挟まれる部分は床面に隙間なく接する。従って、カーペット以外のフローリングや畳の清掃時にも、塵取部２３の前縁２３Ｄは床面に隙間なく接し、掻き上げ体１６の掻き上げ部１６Ａが掻き上げるゴミを床面に沿う後方に逃すことなく、その全てのゴミを捕捉できる。
【００２３】
▲３▼掻き上げ体１６によって掻き上げられたゴミを粘着ロール２１により吸着捕捉できる。このとき、接触回転体１８は粘着ロール２１と接触して該粘着ロール２１を確実に連れ回り回転させる。従って、掻き上げ体１６に接する粘着ロール２１の粘着面を回転により均一かつ効率よく有効活用できるし、掻き上げ体１６が掻き上げたゴミを粘着ロール２１の新規吸着面により確実に吸着捕捉可能とする。
【００２４】
▲４▼粘着ロール２１を掻き上げ体１６と接触回転体１８の上に跨らせるから、大小数種類のどのような外径の粘着ロール２１も清掃具１０に装填できる。よって、粘着ロール２１の外径寸法に製造上の自由度が得られ、床状態に応じて、適切な外径の粘着ロール２１を選択できる。
【００２５】
▲５▼掻き上げ体１６がカーペットの繊維の深い部分から掻き上げるゴミも、フローリングの硬い平坦面から後方に掻き飛ばすゴミも、掻き上げ体２１の後部の塵取部２３にすくい上げられて確実に粘着ロール２１の方向にガイドされ、集塵性能を向上できる。
【００２６】
本発明で使用される粘着ロールとして、コアロールに筒状シートを着脱可能に被せるものを使用しても良い。このとき、筒状シートの原形は、枚葉型の封筒状シートをなすものとし、多数の封筒状シートを互いに積層して保管することができる。
【００２７】
また、本発明において、掻き上げ体は、ブラシに限らず、スポンジ、ゴムブレード、エラストマー、弾性突起体等でも良い。
【００２８】
また、本発明において、接触回転体は、ロール体に限らず、タイヤ等でも良い。
【００２９】
また、本発明において、床面とは、畳、フローリング、カーペット等で、特にカーペットに対し顕著で特有な効果を奏する。
【００３０】
【発明の効果】
以上のように本発明によれば、塵取部を床面の上にスムースに滑らせながら、掻き上げ体は毛足の長いカーペットの毛足の中に埋もれたゴミでも確実に掻き上げできる。
【図面の簡単な説明】
【図１】図１は清掃具を示す側面図である。
【図２】図２は図１の正面図である。
【図３】図３は清掃具の分解斜視図である。
【符号の説明】
１０  清掃具
１５  フレーム
１６  掻き上げ体
１８  回転体
２１  粘着ロール
２３  塵取部
２３Ｄ  前縁
２３Ｅ  ガイドシュー
【図１】
0004047623.tif 000002
【図２】
0004047623.tif 000003
【図３】
0004047623.tif 000004